(57)【要約】【課題】バケットに糠が付着することを防止できる粒体昇降装置を提供する。【解決手段】第１側壁１４に設けられた糠付着防止装置３７には糠付着防止板３６が軸３６Ａにて回動可能に軸支されており、糠付着防止板３６の先端は上昇するバケット３２の開口縁端部に干渉する位置にあるため、糠付着防止板３６の先端は無端ベルト３０に固定され上昇するバケット３２と衝突する。この衝撃によりバケット３２は付着した糠が剥離し、次いで糠付着防止板３６を持ち上げる。糠付着防止板３６の先端がバケット３２から外れると糠付着防止板３６は自重により落下し、次のバケット３２と衝突する位置に復帰する。以下順番に無端ベルト３０に固定され上昇する次のバケット３２も付着した糠が剥離するので全てのバケット３２を清浄に保つことができる。【選択図】図１
2008062200.tif 000002
【特許請求の範囲】
【請求項１】
粒体を収容する複数の収容手段と、
前記収容手段を上下方向に所定の間隔で保持し、上下方向に設けられた搬送経路を循環移動させる無端ベルト状の移動手段と、
を備え、
前記搬送経路途中には、回動軸にて上下方向に回動可能に支持された板状の清掃手段が設けられ、
前記清掃手段の先端は搬送経路を循環移動中の前記収容手段の端部と当接することを特徴とする粒体昇降装置。
【発明の詳細な説明】
【技術分野】
【０００１】
本発明は粒体昇降装置に関し、特に豆、米、麦等の穀粒を搬送するための昇降装置に関する。
【背景技術】
【０００２】
一般に揚穀機は箱状に形成された揚穀塔を備えている。揚穀塔内には、無端ベルトが設けられており、無端ベルトは、揚穀塔内の下部と上部との間を周回できるようになっている。さらに、無端ベルトの外周面にはバケットが設けられており、バケットは、無端ベルトと一体に揚穀塔内の下部と上部との間を周回する。これにより、バケットによって、揚穀塔内の下部に供給された穀粒が掬われて持上げ搬送される。そして、バケットによって持上げ搬送された穀粒は、揚穀塔内の上部でバケットが反転する際に遠心力を与えられて、揚穀塔外へ投げ出される。
【０００３】
このとき穀粒、例えば白米の表面には糠が少なからず付着しているので、バケットに糠が付着堆積しやすく、その糠が汚れた塊状に固まってやがて剥脱し、いわゆる糠玉となって搬送中の白米に混入することが避けられない。
【０００４】
上記のように白米に糠玉が混入している場合、長い日数の間にはこの混入した糠玉が酸化してしまい、この結果、白米が不味くなる。従って糠玉の混入した白米は商品にならなくなる。
【０００５】
このため、糠除去装置が適用された揚穀機が提案されている（例えば、特許文献１参照）。特許文献１に開示されている揚穀機は、無端ベルト付近に設けられた吹出口から空気を吹き出させて、無端ベルトの脇から揚穀塔の内壁へと空気を流動させており、これにより、揚穀塔の内壁に付着する糠を除去している。
【０００６】
しかし、このような揚穀塔はバケット内で空気を流動させるようにはなっていないため、バケット内に糠が付着したり溜まったりした場合には、バケット内の糠を除去することができない。この結果、この糠をそのまま放置しておくと、白米を繰り返し持上げ搬送しているうちに多量の汚れた糠がバケット内に固くこびり付いてしまう。こびり付いた糠はやがて剥脱し、糠玉となって白米に混入してしまう。
【０００７】
またこのように、汚れた糠が付着したり溜まったりしたバケットで白米を持上げ搬送すると、白米の表面にも汚れた糠が付着して汚くなり、糠臭いものになってしまう。
【０００８】
あるいは、バケットの移動軌跡に介入してバケットの前縁部および両側縁部を掃擦するブラシを設けることでバケットに付着した糠を除去する揚穀機が提案されている（例えば、特許文献２参照）。
【０００９】
しかし、ブラシによる摩擦で糠を除去する方法ではバケットとの摩擦によってブラシに経時的にヘタリが発生し、毛に癖が付いて毛先が曲がってしまうことが避けられない。このため糠を除去する能力が低下し、結果としてバケットに糠が付着する状態に戻ってしまう。このため、経時によって糠除去能力の低下しないバケットを備えた揚穀機が望まれている。
【特許文献１】実開昭６３−２０１６３５号公報
【特許文献２】特開平１１−２４４７１５号公報
【発明の開示】
【発明が解決しようとする課題】
【００１０】
本発明は上記事実を考慮して、バケットに糠が付着することを防止できる粒体昇降装置を提供することを目的とする。
【００１１】
なお、ここでいう「糠」とは、白米や玄米の所謂「糠」のみならず、麦の麩や豆の薄皮等を含む（以下同じ）。
【課題を解決するための手段】
【００１２】
請求項１に記載の粒体昇降装置は、粒体を収容する複数の収容手段と、前記収容手段を上下方向に所定の間隔で保持し、上下方向に設けられた搬送経路を循環移動させる無端ベルト状の移動手段と、を備え、前記搬送経路途中には、回動軸にて上下方向に回動可能に支持された板状の清掃手段が設けられ、前記清掃手段の先端は搬送経路を循環移動中の前記収容手段の端部と当接することを特徴とする。
【００１３】
上記構成の発明では、移動手段に保持され循環移動する収容手段が清掃手段に当接するので、その当接の衝撃により収容手段に付着した糠が剥離し、収容手段に糠が付着することを防止できる。
【発明の効果】
【００１４】
以上説明したように、本発明に係る粒体昇降装置によれば、単純な構成で能力の低下しない清掃手段を備え、粒体の収容手段に糠が付着することを防止できる。
【発明を実施するための最良の形態】
【００１５】
＜基本構成＞
図１には、本発明の実施の形態に係る白米搬送用の揚穀機１０の主要部が概略的な縦断面図にて示されている。
【００１６】
揚穀機１０は、箱状に形成された揚穀塔１２を備えている。揚穀塔１２は、互いに対向する第１側壁１４と第２側壁１６とを有している。このような揚穀塔１２内には、バケットコンベア１８が設けられており、バケットコンベア１８は、揚穀塔１２内の下部に配置された下プーリとしての下平プーリ２０を備えている。下平プーリ２０は、軸心部に設けられた支軸を介して揚穀塔１２に回転自在に軸支されている。
【００１７】
また、バケットコンベア１８は、揚穀塔１２内の上部に配置された上プーリとしての上平プーリ２２を備えている。上平プーリ２２は、揚穀塔１２の第２側壁１６上部に設けられた投出口２４に対向して配置されており、軸心部に設けられた支軸を介して揚穀塔１２に回転自在に軸支されている。
【００１８】
また、揚穀塔１２の第１側壁１４の外側部分には、モータ２６が取り付けられており、このモータ２６の出力軸は無端状の駆動ベルト２８を介して上平プーリ２２の軸心部に巻き掛けられている。従って、この上平プーリ２２は、モータ２６の駆動力により矢印Ａ方向へ回転するようになっている。
【００１９】
また、上述の上平プーリ２２及び下平プーリ２０には、無端ベルト３０が巻き掛けられている。この無端ベルト３０は、上平プーリ２２が矢印Ａ方向へ回転すると、揚穀塔１２内の下部と上部との間を周回（矢印Ｂ方向へ回転）する。
【００２０】
また、無端ベルト３０の外周側には、複数の白米搬送用のバケット３２が一定間隔で設けられている。これらのバケット３２は、無端ベルト３０と一体に揚穀塔１２内の下部と上部との間を周回（矢印Ｂ方向へ回転）する。
【００２１】
ここで、上記構成の揚穀機１０では、無端ベルト３０が揚穀塔１２内の下部と上部との間を周回すると、供給ホッパ３３から揚穀塔１２内の下端部に供給されて堆積した白米Ｈがバケット３２により掬われて第１側壁１４側で揚穀塔１２内の上部まで持上げ搬送される。そして、持上げ搬送側（第１側壁１４側）のバケット３２は、上平プーリ２２の外周に沿って反転する際に、持上げ搬送された白米Ｈに遠心力を与えて、この白米Ｈを揚穀塔１２の投出口２４を介して揚穀塔１２外へと投げ出す。
【００２２】
また、揚穀塔１２の投出口２４の外側部分には、概して漏斗状の放出筒部３４が取り付けられている。放出筒部３４は、揚穀塔１２内の上部で投出口２４を介して投げ出された白米Ｈを案内して、外部に放出する。
【００２３】
さらに、揚穀塔１２の上部では、その天壁３８の持上げ搬送側部分に第１開口としての第１吸引排塵口４０が形成されている。この第１吸引排塵口４０には、揚穀塔１２の外側で第１吸引装置４２が連結されており、第１吸引装置４２は、揚穀塔１２内の空気（持上げ搬送側のバケット３２から飛散する糠を含む）を吸引できるようになっている。これにより揚穀塔１２の内部を粉塵状に漂う糠を吸引除去し、揚穀塔１２内部を清浄に保つことができる。
【００２４】
また、揚穀塔１２の下部では上記と同様に反持上げ搬送側の第２側壁１６に第２開口としての第２吸引排塵口４６が形成されている。この第２吸引排塵口４６には、揚穀塔１２の外側で第２吸引装置４８が連結されており、第２吸引装置４８は揚穀塔１２内の空気（反持ち上げ搬送側のバケット３２から飛散する糠を含む）を吸引できるようになっており、揚穀塔１２の内部を粉塵状に漂う糠を吸引除去し、揚穀塔１２内部を清浄に保つことができる。
【００２５】
揚穀塔１２内のモータ２６の駆動力によって無端ベルト３０が揚穀塔１２内の下部と上部との間を周回（矢印Ｂ方向へ回転）すると、揚穀塔１２内の下部に供給されて堆積した白米Ｈがバケット３２によって掬われて揚穀塔１２内の上部へ持上げ搬送される。揚穀塔１２内の上部へ持上げ搬送された白米Ｈは、バケット３２が揚穀塔１２内の上部で上平プーリ２２の外周に沿って反転する際に遠心力を与えられて、揚穀塔１２の投出口２４を介して放出筒部３４（揚穀塔１２外）へ投げ出される。
【００２６】
上記の動作により供給ホッパ３３から揚穀塔１２内の下端部に供給されて堆積した白米Ｈは、バケット３２により掬われて揚穀塔１２の投出口２４に設けられた放出筒部３４から外部に放出される。
＜糠付着防止装置＞
本発明に係る揚穀機１０には図１に示すように第１側壁１４には糠付着防止装置３７が設けられている。
【００２７】
図２には本発明の第１実施形態に係る糠付着防止装置が示されている。
【００２８】
図２に示すように第１側壁１４に設けられた糠付着防止装置３７には糠付着防止板３６が軸３６Ａにて回動可能に軸支されており、糠付着防止板３６の先端は上昇するバケット３２の開口縁端部に干渉する位置にある。
【００２９】
このため糠付着防止板３６の先端は、無端ベルト３０に固定され上昇するバケット３２と衝突する。この衝撃によりバケット３２は付着した糠が剥離し、次いで糠付着防止板３６を持ち上げる。糠付着防止板３６の先端がバケット３２から外れると糠付着防止板３６は自重により落下し、次のバケット３２と衝突する位置に復帰する。
【００３０】
上記の工程を繰り返し、以下順番に無端ベルト３０に固定され上昇する次のバケット３２も付着した糠が剥離するので全てのバケット３２を清浄に保つことができる。
【００３１】
すなわち、持上げ搬送側を上昇するパケット３２から剥離した糠（粉末状の糠粉）は、その場で飛散して第１吸引排塵口４０から外部に排出されたり、バケット３２が上平プーリ２２の外周に沿って反転する際にその遠心力で投入口２４から外部に排出されたり、バケット３２が反持上げ搬送側を下降する際に第２吸引排塵口４６から外部に排出されて、全てのバケット３２が清浄に保たれる。
【００３２】
このように、糠付着防止板３６が上昇するバケット３２の付着糠粉を常時剥離することにより、糠粉が長期の間に積もってバケット３２にこびりつき、やがて塊状になることを未然に防止する。
【００３３】
従って、ブラシ等による摩擦を利用した方法に比較しても確実に、かつ長時間使用しても効果が劣化しない方法でバケット３２を清掃することができる。すなわち、ブラシ等の擦過による摩擦では長時間の使用によりブラシ等が変形／摩耗し次第に摩擦力が失われることは不可避であるが、軸３６Ａに回動可能に軸支された糠付着防止板３６であれば、使用によって消耗する部位が存在しないため、長期間にわたって安定した効果を得ることができる。
＜他の形態＞
図３には本発明の第２実施形態に係る糠付着防止装置が示されている。
【００３４】
図３に示すように糠付着防止装置４４は反持上げ搬送側の第２側壁１６に取り付けるもので、これには糠付着防止板３６が軸３６Ａにて回動可能に軸支されており、糠付着防止板３６の先端はバケット３２に干渉する位置にある。また、糠付着防止板３６はバネ３６Ｂで下から上に付勢されている。
【００３５】
上記の糠付着防止板３６は、無端ベルト３０に固定され下降するバケット３２と衝突する。この衝撃によりバケット３２は付着した糠が剥離し、次いで糠付着防止板３６を押し下げる。糠付着防止板３６の先端がバケット３２から外れると糠付着防止板３６はバネ３６Ｂの反発力により上昇し、次のバケット３２と衝突する位置に復帰する。
【００３６】
上記の工程を繰り返し、以下順番に無端ベルト３０に固定され下降する次のバケット３２も付着した糠が剥離するので全てのバケット３２を清浄に保つことができる。
【００３７】
上記の糠付着防止装置４４は単独で使用してもよく、糠付着防止装置３７と併用するようにしてもよい。この場合はバケット３２が上昇中／下降中の２箇所で清掃可能となり、より効率よくバケット３２を清掃することができる。
＜その他＞
尚、本発明は、上記の実施の形態に限定されるものではない。
【００３８】
例えば、上記実施の形態では白米用の揚穀機だが、これに限らずバケットを使用した粒体昇降装置であれば穀物用に限らず他の形式の製品への応用であってもよい。
【図面の簡単な説明】
【００３９】
【図１】本発明の第１実施形態に係る揚穀機の主要部を概略的に示す縦断面図である。
【図２】本発明の第１実施形態に係る糠付着防止装置を示す斜視図である。
【図３】本発明の第２実施形態に係る糠付着防止装置を示す斜視図である。
【符号の説明】
【００４０】
１０    揚穀機
１２    揚穀塔
３０    無端ベルト
３２    バケット
３６    糠付着防止板
３７    糠付着防止装置
４４    糠付着防止装置
Ｈ      白米
【図１】
2008062200.tif 000003
【図２】
2008062200.tif 000004
【図３】
2008062200.tif 000005